(57)【要約】      （修正有）【課題】単色の画像及びカラー画像を形成可能な画像形成装置において単色の画像形成時に画質が低下するのを防止する。【解決手段】複数の感光体ドラム２１は、カラー画像を形成するそれぞれの色に対応して、配置され、表面に静電潜像を担持可能な部材である。複数の現像装置２２は、それぞれの感光体ドラム２１に対応した色の現像剤を供給する。中間転写ベルト７１は、それぞれの感光体ドラム２１に接触可能に配置された環状の部材である。中間転写ベルト押圧機構７６は、カラー画像の形成時には、すべての感光体ドラム２１に接触するように中間転写ベルト７１を第１付勢力で付勢し、特定の単色の画像の形成時には、特定色の感光体ドラム２１に第１付勢力より大きい第２付勢力で中間転写ベルト７１を付勢するとともに特定色の感光体ドラム２１以外の感光体ドラム２１から中間転写ベルト７１を離隔させる。【選択図】図１
2008298835.tif 000002
【特許請求の範囲】
【請求項１】
単色の画像及びカラー画像を形成可能な画像形成装置であって、
カラー画像を形成するそれぞれの色に対応して配置され、表面に静電潜像を担持可能な複数の静電潜像担持体と、
それぞれの前記静電潜像担持体に対応した色の現像剤を供給する複数の現像装置と、
それぞれの前記静電潜像担持体に接触可能に配置された環状の中間転写ベルトと、
カラー画像の形成時には、すべての前記静電潜像担持体に接触するように前記中間転写ベルトを第１付勢力で付勢し、特定の単色の画像の形成時には、前記特定色の記静電潜像担持体に前記第１付勢力より大きい第２付勢力で前記中間転写ベルトを付勢するとともに前記特定色の静電潜像担持体以外の前記静電潜像担持体から前記中間転写ベルトを離隔させる中間転写ベルト押圧機構と、
を備えた画像形成装置。
【請求項２】
前記中間転写ベルト押圧機構は、
前記特定色の静電潜像担持体に対向して配置された第１押圧ローラと、
前記特定色の静電潜像担持体以外の前記静電線像担持体に対向して配置された複数の第２押圧ローラと、
単色の画像形成時に前記第１押圧ローラを前記静電潜像担持体側に移動させる第１押圧ローラ移動機構と、
単色の画像形成時に複数の前記第２押圧ローラを前記静電潜像担持体から離隔するように移動させる離隔機構とを備えている、請求項１に記載の画像形成装置。
【請求項３】
前記複数の静電潜像担持体は１列に並べて配置されており、
前記第１押圧ローラ移動機構及び離隔機構は、
前記第１押圧ローラ及び前記第２押圧ローラを支持し、複数の前記静電潜像担持体が並べられた方向に沿って延びるフレームと、
前記フレームに取り付けられ、前記フレームを回動可能に支持する回動軸と、
前記フレームを前記回動軸を支点として回動させる駆動機構と、を有し、
前記第１押圧ローラは、複数の前記第２押圧ローラが並べられている列の側方に配置されており、
前記第１押圧ローラと複数の前記第２押圧ローラとは前記回動軸を挟んで逆側に配置されている、
請求項１に記載の画像形成装置。
【請求項４】
前記中間転写ベルト支持機構は、
前記フレームとそれぞれの前記第１押圧ローラ及び前記第２押圧ローラとの間に配置され、前記各押圧ローラを対向する前記静電潜像担持体側に付勢する付勢部材をさらに有している、
請求項２または３に記載の画像形成装置。
【発明の詳細な説明】
【技術分野】
【０００１】
本発明は、画像形成装置、特に、単色の画像及びカラー画像を形成可能な画像形成装置に関する。
【背景技術】
【０００２】
画像形成装置は、画像情報に基づいて画像を用紙に形成可能な画像形成部と、画像形成部に用紙を搬送する用紙搬送部と、用紙を収納する用紙収納部と、画像が形成された用紙を排出可能な排出部と、を備えている。この画像形成装置では、用紙収納部から用紙搬送部によって用紙が画像形成部に搬送される。そして、画像情報に基づき用紙に画像が形成され、排出部から外部に画像が形成された用紙が排出される。
【０００３】
この画像形成部では、表面に画像情報に基づいて静電潜像が形成される静電線像担持体と、静電線像担持体に現像剤を供給する現像装置と、静電潜像担持体上に形成された画像を用紙に転写するための中間転写ベルトと、を備えている。この画像形成部では、静電線像担持体上に画像情報に基づいて静電潜像が形成され、現像装置から静電潜像担持体に現像剤が供給される。このようにして静電潜像担持体上に現像剤画像が形成された後、中間転写ベルトによって用紙に現像剤画像が転写される。
【０００４】
ここで、画像形成装置には単色の画像に加えてカラー画像を形成可能な装置がある。単色の画像及びカラー画像を形成可能な画像形成装置には、複数の静電潜像担持体を有するものがあり、これをタンデム式に配置、すなわち一列に並べて配置しているものがある。このような装置では、複数の静電潜像担持体の下側に中間転写ベルトが配置されており、中間転写ベルトを静電潜像担持体に接触させるための中間転写ベルト押圧機構を備えている。
【０００５】
この中間転写ベルト押圧機構は、単色画像を形成する際に用いられる特定の色（一般的にはブラック）に対応する静電潜像担持体に中間転写ベルトが接触するように中間転写ベルトを押圧する第１押圧ローラと、カラー画像形成時にその他の色（ブラック以外の色）に対応した静電潜像担持体に中間転写ベルトが接触するように中間転写ベルトを押圧するとともに単色の画像形成時には静電潜像担持体から中間転写ベルトが離れるように移動する第２押圧ローラとを備えている（特許文献１参照）。
【特許文献１】特開平１０−２９３４３７号公報
【発明の開示】
【発明が解決しようとする課題】
【０００６】
特許文献１に記載の画像形成装置では、カラー画像の形成時には、第１押圧ローラ及び複数の第２押圧ローラによって中間転写ベルトを静電潜像担持体側に押圧しているが、単色の画像形成時には第１押圧ローラのみが中間転写ベルトを静電潜像担持体側に押圧するために、単色の画像形成時には中間転写ベルトの静電潜像担持体への押圧力が小さくなる。このために、静電潜像担持体の現像剤画像が中間転写ベルトに転写されずに文字の中抜けなどによる画質の低下が起こりやすい。
【０００７】
本発明の課題は、単色の画像及びカラー画像を形成可能な画像形成装置において単色の画像形成時に画質が低下するのを防止することにある。
【課題を解決するための手段】
【０００８】
請求項１に係る画像形成装置は、単色の画像及びカラー画像を形成可能な画像形成装置であって、複数の静電潜像担持体と、複数の現像装置と、中間転写ベルトと、中間転写ベルト押圧機構とを備えている。複数の静電潜像担持体は、カラー画像を形成するそれぞれの色に対応して、配置され、表面に静電潜像を担持可能な部材である。複数の現像装置は、それぞれの静電潜像担持体に対応した色の現像剤を供給する。中間転写ベルトは、それぞれの静電潜像担持体に接触可能に配置された環状の部材である。中間転写ベルト押圧機構は、カラー画像の形成時には、すべての静電潜像担持体に接触するように中間転写ベルトを第１付勢力で付勢し、特定の単色の画像の形成時には、特定色の静電潜像担持体に第１付勢力より大きい第２付勢力で中間転写ベルトを付勢するとともに特定色の静電潜像担持体以外の静電潜像担持体から中間転写ベルトを離隔させる機構である。
【０００９】
この画像形成装置では、画像情報に基づいて各静電潜像担持体に静電潜像が形成され、静電潜像に現像装置から現像剤が供給される。このようにして静電潜像担持体上に形成された画像が中間転写ベルトに転写され、中間転写ベルトから用紙に画像が転写される。ここで、中間転写ベルト押圧機構によって、カラー画像の形成時にはすべての静電潜像担持体に接触するように中間転写ベルトが付勢される。一方、特定の単色の画像の形成時には、特定色の静電潜像担持体にカラー画像の形成時以上の付勢力で中間転写ベルトが付勢されるとともに特定色の静電潜像担持体以外の静電潜像担持体から中間転写ベルトが離隔させられる。
【００１０】
ここでは、単色の画像の形成時には、特定色の静電潜像担持体に対してカラー画像の形成時以上の付勢力で中間転写ベルトが付勢されるために、静電潜像担持体の画像が中間転写ベルトに転写されやすくなり、単色の画像形成時に画質が低下するのを防止することができる。
【００１１】
請求項２に係る画像形成装置は、請求項１に記載の画像形成装置であって、中間転写ベルト押圧機構は、特定色の静電潜像担持体に対向して配置された第１押圧ローラと、特定色の静電潜像担持体以外の静電線像担持体に対向して配置された複数の第２押圧ローラと、単色の画像形成時に第１押圧ローラを静電潜像担持体側に移動させる第１押圧ローラ移動機構と、単色の画像形成時に複数の第２押圧ローラを静電潜像担持体から離隔させる離隔機構とを備えている。
【００１２】
この画像形成装置では、単色の画像形成時には、第１押圧ローラ移動機構によって第１押圧ローラが静電潜像担持体側に移動させられるとともに、離隔機構によって第２押圧ローラが静電潜像担持体から離される。
【００１３】
請求項３に係る画像形成装置は、請求項１に記載の画像形成装置であって、複数の静電潜像担持体は１列に並べて配置されており、第１押圧ローラ移動機構及び離隔機構は、第１押圧ローラ及び第２押圧ローラを支持し、複数の静電潜像担持体が並べられた方向に沿って延びるフレームと、フレームに取り付けられ、フレームを回動可能に支持する回動軸と、フレームを前記回動軸を支点として回動させる駆動機構とを有している。第１押圧ローラは、複数の第２押圧ローラが並べられている列の側方に配置されており、第１押圧ローラと複数の第２押圧ローラとは回動軸を挟んで逆側に配置されている。
【００１４】
この画像形成装置では、複数の静電潜像担持体が並べられた方向に沿ってフレームが延びており、このフレームに第１押圧ローラおよび第２押圧ローラが支持されている。そして、このフレームは回動軸によって回動軸を支点として駆動機構により回動させられる。すなわちカラー画像形成時には、フレームは所定の回動位置に位置しており、この場合は、すべての押圧ローラが中間転写ベルトを介して対応する静電潜像担持体に押圧されている。一方、単色の画像形成時にはフレームが回動軸を中心に回動し、第１押圧ローラが対応する静電潜像担持体側に移動させられる。この回動によって、第２押圧ローラは中間転写ベルトが静電潜像担持体から離れるように移動するとともに、第１押圧ローラは中間転写ベルトを静電潜像担持体側にカラー画像形成時よりも強い力で押圧するように移動する。
【００１５】
請求項４に係る画像形成装置は、請求項２または３に記載の画像形成装置であって、中間転写ベルト支持機構は、フレームとそれぞれの第１押圧ローラ及び第２押圧ローラとの間に配置され、各押圧ローラを対向する静電潜像担持体側に付勢する付勢部材をさらに有している。
【００１６】
ここでは、第１押圧ローラ及び第２押圧ローラを静電潜像担持体側に付勢することができる。
【発明の効果】
【００１７】
本発明では、単色の画像及びカラー画像を形成可能な画像形成装置において単色の画像形成時に画質が低下するのを防止することができる。
【発明を実施するための最良の形態】
【００１８】
１．構成
図１に本発明の一実施形態に係る画像形成装置であるカラープリンタ１を示す。なお、この図１は各構成要素の配置を示すための模式図であり、各部の詳細は省略して示している。
【００１９】
このカラープリンタ１は、図示しないコンピュータなどに接続されており、外部のコンピュータなどから送信されてくる画像情報に基づいてカラー画像を用紙に印刷可能な装置である。
【００２０】
このカラープリンタ１は、画像情報に基づいて画像を形成する画像形成部２と、用紙を搬送する用紙搬送部３と、画像形成部２で形成された画像を用紙に定着する定着部４と、用紙を収容する用紙収容部５と、用紙をカラープリンタ１の上部に排出する排出部６と、用紙に画像を転写する転写装置７とを有している。
【００２１】
画像形成部２は、それぞれ異なる色のトナー画像を形成するための４つのトナー画像形成部２ａ，２ｂ，２ｃ，２ｄを有している。４つのトナー画像形成部２ａ〜２ｄは横方向に１列に並べて配置されており、図１及び２に示すように、それぞれ、感光体ドラム２１と、現像装置２２と、帯電装置２４と、露光装置２５と、クリーニング装置２６とを有している。ここで、画像形成部２ａはブラックの画像を形成する部分であって、画像形成部２ｂはイエローの画像を形成する部分であり、画像形成部２ｃはシアンの画像を形成する部分であり、画像形成部２ｄはマゼンタの画像を形成する部分である。
【００２２】
感光体ドラム２１は、トナー像が表面に形成され、回転軸回りに回転可能な部材である。各感光体ドラム２１の回転軸は図１の紙面に直交する方向に延びている。
【００２３】
現像装置２２は、感光体ドラム２１にトナーを供給するための装置であって、感光体ドラム２１に隣接して配置されている。現像装置２２は、内部に現像剤を収納する現像剤収納スペース２２１が形成されており、現像ローラ２２２を有している。この現像ローラ２２２は、感光体ドラム２１に対向するように配置されており、現像剤収納スペース２２１の現像剤を感光体ドラム２１に供給するための部材である。
【００２４】
帯電装置２４は、感光体ドラム２１の表面を帯電させるための装置であって、感光体ドラム２１の下方に感光体ドラム２１に隣接して配置されている。
【００２５】
露光装置２５は、画像情報に基づいて感光体ドラム２１に光を照射する部分であって、感光体ドラム２１の上方でかつ帯電装置２４と現像装置２２の間に光を照射可能な位置に配置されている。
【００２６】
クリーニング装置２６は、感光体ドラム２１に転写されずに残留したトナーをクリーニングするための装置であって、クリーニングローラ２６１と、クリーニングブレード２６２とを備えている。また、クリーニング装置２６は、感光体ドラム２１の側方に感光体ドラム２１に近接して配置されている。クリーニングローラ２６１は、感光体ドラム２１の表面の転写残トナーを装置の内部に除去する部材であって、感光体ドラム２１の回転軸と平行に配置されている。クリーニングブレード２６２は感光体ドラム２１に近接している。このクリーニングブレード２６２は、クリーニングローラ２６１によって除去されなかった残留トナーを感光体ドラム２１から掻き取り、装置の内部に回収するための部材である。
【００２７】
用紙搬送部３は、用紙収容部５の用紙を画像形成部２、定着部４、排出部６の順に搬送する部分である。
【００２８】
定着部４は、画像形成部２で用紙に形成された画像を定着する部分であって、加圧ローラ４１と加熱ローラ４２とを有している。
【００２９】
用紙収容部５は、様々な種類の用紙を収容可能な複数の給紙カセット５１を有している。また、用紙収容部５はこのカラープリンタ１の下部に配置されている。
【００３０】
排出部６は、表面に画像が定着した用紙をカラープリンタ１の外部に排出するための部分であって、上部に設けられている。
【００３１】
２．転写装置
転写装置７は、感光体ドラム２１上に形成されたトナー画像を用紙に転写するための装置であって、中間転写ベルト７１と、駆動ローラ７２と、従動ローラ７３と、第１転写ローラ７４と、第２転写ローラ７５と、中間転写ベルト押圧機構７６と、を備えている。
【００３２】
中間転写ベルト７１は、各トナー画像形成部２ａ〜２ｄの下方に配置された部材であって、各感光体ドラム２１に接触するように配置されている。また、中間転写ベルト７１は、無端のベルトであって、駆動ローラ７２と従動ローラ７３と第１転写ローラ７４とに掛け渡されている。
【００３３】
駆動ローラ７２は、中間転写ベルト７１を循環させるためのローラであって、トナー画像形成部２ｄの近傍に配置されている。また、駆動ローラ７２は、図示しないモータが接続されており、このモータによって駆動させられる。
【００３４】
従動ローラ７３は、駆動ローラ７２の動力が中間転写ベルト７１を介して伝達されることで回転させられるローラであって、トナー画像形成部２ａ近傍に配置されている。また、この従動ローラ７３は、第１スプリング７３ａによって駆動ローラ７２から遠ざかる方向に付勢されており、これにより中間転写ベルト７１が張った状態（中間転写ベルト７１にテンションが作用している状態）に維持される。なお、具体的には、従動ローラ７３の軸を支持する１対の軸受け（図示せず）がフレームに対して移動自在に支持され、この１対の軸受けが第１スプリング７３ａによって前述の方向に付勢されている。
【００３５】
第１転写ローラ７４は、中間転写ベルト７１上の画像を用紙に転写するためのローラであって、トナー画像形成部２ｂ、２ｃの下方に配置されている。また、第１転写ローラ７４は中間転写ベルト７１の内側に配置されている。
【００３６】
第２転写ローラ７５は、中間転写ベルト７１上の画像を用紙に転写するためのローラであって、中間転写ベルト７１を挟んで第１転写ローラ７４に対向する位置に配置されている。
【００３７】
中間転写ベルト押圧機構７６は、中間転写ベルト７１を画像形成部２側に押圧するための機構であって、第１押圧ローラ７６１と、３つの第２押圧ローラ７６２と、コイルスプリング７６３と、押圧ローラ移動機構７６４と、を備えている。
【００３８】
第１押圧ローラ７６１は、中間転写ベルト７１を挟んでトナー画像形成部２ａの感光体ドラム２１に対向する位置に配置されており、トナー画像形成部２ａの近傍の中間転写ベルト７１を感光体ドラム２１側に押圧するための部材である。
【００３９】
第２押圧ローラ７６２は、それぞれ中間転写ベルト７１を挟んでトナー画像形成部２ｂ、２ｃ、２ｄの感光体ドラム２１に対向するように配置されており、各感光体ドラム２１上に形成された画像を中間転写ベルト７１に転写するためのローラである。この第２押圧ローラ７６２は、第１押圧ローラ７６１の側方に３つ並べて配置されており、単色画像を形成する際には図２に示すように、押圧ローラ移動機構７６４によって中間転写ベルト７１が感光体ドラム２１に接触しないように移動させられている。
【００４０】
コイルスプリング７６３は、第１押圧ローラ７６１及び第２押圧ローラ７６２の下方に配置されており、第１押圧ローラ７６１及び第２押圧ローラ７６２を感光体ドラム２１側に押圧するための部材である。
【００４１】
押圧ローラ移動機構７６４は、第１押圧ローラ７６１及び第２押圧ローラ７６２を移動させるための機構であって、フレーム７６４ａと、回動軸７６４ｂと、駆動機構としてのソレノイドバルブ７６４ｃと、を備えている。フレーム７６４ａは、第１押圧ローラ７６１および第２押圧ローラ７６２を回転自在に支持するとともに、各コイルスプリング７６３の下端を支持する部材であって、各感光体ドラム２１が並べられた方向に沿って延びている。また、フレーム７６４ａは、カラー画像を形成する際には図１に示すように、各感光体ドラム２１が並べられた方向と平行になるように配置され（カラー画像形成姿勢）、単色画像を形成する際には図２に示すように、画像形成部２ａ側の端部が他端よりも上側に位置するように傾けて配置される（単色画像形成姿勢）。回動軸７６４ｂは、フレーム７６４ａを回動自在に支持する軸であって、第１押圧ローラ７６１と第２押圧ローラ７６２との間に配置されている。すなわち、第１押圧ローラ７６１と３つの第２押圧ローラ７６２とは、この回動軸７６４ｂを挟んで逆側に配置されている。なお、回動軸７６４ｂは、カラープリンタ１のフレームに取り付けられている。ソレノイドバルブ７６４ｃは、フレーム７６４ａの一端、すなわち第２押圧ローラ７６２を挟んで回動軸７６４ｂと逆側に端部に設けられている。より詳細には、ソレノイドバルブ７６４ｃのロッドの先端が、フレーム７６４ａの一端の底面に連結されている。このような構成により、ソレノイドバルブ７６４ｃに通電されていないオフ状態では、ソレノイドバルブ７６４ｃのロッドが突出しており、フレーム７６４ａはカラー画像形成姿勢となり、ソレノイドバルブ７６４ｃに通電されたオン状態では、ソレノイドバルブ７６４ｃのロッドが縮退して、フレーム７６４ａは単色画像形成姿勢となる。
【００４２】
３．動作
カラー画像の形成動作について説明する。
【００４３】
外部のコンピュータ等から画像情報が送信されると、画像情報に基づいて感光体ドラム２１上に静電潜像が形成される。具体的には、感光体ドラム２１の表面が帯電装置２４によって帯電させられ、画像情報に基づいて露光装置２５によって光が照射されることで静電潜像が感光体ドラム２１上に形成される。感光体ドラム２１上に静電潜像が形成されると、現像装置２２から現像剤が感光体ドラム２１上に供給される。このとき、押圧ローラ移動機構７６４のソレノイドバルブ７６４ｃはオフであり、ロッドが突出して、図１に示すように、フレーム７６４ａは感光体ドラム２１が並べられた方向に平行なカラー画像形成姿勢となっている。ここでは、各感光体ドラム２１に中間転写ベルト７１が押圧されるようにコイルスプリング７６３によって第１押圧ローラ７６１及び第２押圧ローラ７６２が感光体ドラム２１側に押圧される。この状態で、感光体ドラム２１から中間転写ベルト７１にトナー画像が転写され、中間転写ベルト７１の循環に伴って第１転写ローラ７４と第２転写ローラ７５とが対向する位置までトナー画像が搬送される。このとき、第１転写ローラ７４と第２転写ローラ７５との間に用紙収容部５の用紙が用紙搬送部３によって搬送される。中間転写ベルト７１上のトナー画像が第１転写ローラ７４及び第２転写ローラ７５によって用紙に転写され、この用紙は用紙搬送部３によって定着部４に搬送される。定着部４でトナー画像が用紙に定着され、排出部６から用紙が排出される。
【００４４】
次に単色の画像を形成する動作について説明する。
【００４５】
カラー画像の形成動作時と同様に、外部のコンピュータ等から画像情報が送信され、画像情報に基づいて感光体ドラム２１上に静電潜像が形成される。感光体ドラム２１上に静電潜像が形成されると、現像装置２２から現像剤が感光体ドラム２１上に供給されトナー画像が形成される。このとき、押圧ローラ移動機構７６４のソレノイドバルブ７６４ｃはオンであり、ロッドが縮退して、図２に示すように、フレーム７６４ａはトナー画像形成部２ａ側が他のトナー画像形成部２ｂ，２ｃ，２ｄよりも上側に位置するように傾いた単色画像形成姿勢になっている。ここでは、感光体ドラム２１に中間転写ベルト７１が押圧されるようにコイルスプリング７６３によって第１押圧ローラ７６１が感光体ドラム２１側に押圧される。ここで、第１押圧ローラ７６１は板状部材７６４ａが傾いた状態になっているためにカラー画像形成時よりも強い押圧力で感光体ドラム２１に押圧されている。一方、第２押圧ローラ７６２が下方に移動することになるので、トナー画像形成部２ｂ，２ｃ，２ｄから中間転写ベルト７１が離れることになる。
【００４６】
その後、カラー画像形成動作と同様に、感光体ドラム２１から中間転写ベルト７１にトナー画像が転写され、中間転写ベルト７１の循環に伴って第１転写ローラ７４と第２転写ローラ７５とが対向する位置までトナー画像が搬送される。このとき、第１転写ローラ７４と第２転写ローラ７５との間に用紙収容部５の用紙が用紙搬送部３によって搬送される。中間転写ベルト７１上のトナー画像が第１転写ローラ７４及び第２転写ローラ７５によって用紙に転写され、この用紙は用紙搬送部３によって定着部４に搬送される。定着部４でトナー画像が用紙に定着され、排出部６から用紙が排出される。
【００４７】
ここでは、単色の画像形成時には、カラー画像の形成時よりも強く第１押圧ローラ７６１が感光体ドラム２１側に押圧されるために、第１押圧ローラ７６１によってカラー画像形成時よりも強い押圧力で中間転写ベルト７１が感光体ドラム２１に押圧される。このために、感光体ドラム２１上のトナー画像が中間転写ベルト７１に転写される際に中抜けなどの画質の低下を防止できる。
【００４８】
４．他の実施形態
（ａ）上記実施形態では、板状部材７６４ａの姿勢を変化させることで第１押圧ローラ７６１の感光体ドラム２１側への押圧力を変化させたが、本発明はこれに限らずに、例えば図３及び図４に示すように、第１押圧ローラ７６１を支持する第１押圧ローラ支持部材８１と、第１押圧ローラ支持部材８１を上下動させるラック８２及びピニオンギア８３と、第１押圧ローラ支持部材８１を感光体ドラム２１側に付勢するコイルスプリング８４と、を備えた第１押圧ローラ付勢機構８を備えていても良い。
【００４９】
ここで、第１押圧ローラ支持部材８１は、第１押圧ローラ７６１を支持するための部材であって、第１押圧ローラ７６１の下部を覆うように形成されたローラ支持部８１１と、ローラ支持部８１１から下方に延びる棒状部８１２とを有している。ラック８２は、棒状部８１２の下方に配置された水平板部８２１と、水平板部８２１の端部から下方に延びるように形成された鉛直板部８２２とを有している。この鉛直板部８２２にはピニオンギア８３と互いに係止可能な歯が形成されている。ピニオンギア８３は、図示しないモータによって回転させられる部材である。コイルスプリング８４は、ローラ支持部８１１と水平板部８２１との間に配置された部材であって、ローラ支持部８１１を感光体ドラム２１側に付勢するための部材である。
【００５０】
この第１押圧ローラ付勢機構８では、カラー画像形成時には第１押圧ローラ７６１を第２押圧ローラ７６２と同様の付勢力で感光体ドラム２１側に付勢するようにラック８２の鉛直方向位置を調整し、カラー画像形成時には単色画像形成時よりも強い力で第１押圧ローラ７６１が感光体ドラム２１側に押圧されるようにラック８２の鉛直方向位置を調整する。すなわち単色画像形成時には図４に示すように、ラック８２がカラー画像形成時の鉛直方向位置よりも上側に位置するようにピニオンギア８３を回転させる。ここで、各第２押圧ローラ７６２は、一端を中心に回動自在なフレーム８５に弾性部材を介して取り付けられており、単色画像形成時には図４に示すように、中間転写ベルト７１が感光体ドラム２１に接触しないように回動させられている。
【００５１】
（ｂ）また上記実施形態では、カラープリンタ１について説明したが、本発明はこれに限らずに、複写機や複合機などであっても良い。
【図面の簡単な説明】
【００５２】
【図１】カラー画像を形成する際のカラープリンタ１の全体概略図。
【図２】単色画像を形成する際のカラープリンタ１の全体概略図。
【図３】カラー画像形成時における他の実施形態のカラープリンタ１の全体概略図。
【図４】単色画像形成時における他の実施形態のカラープリンタ１の全体概略図。
【符号の説明】
【００５３】
１  カラープリンタ
２１  感光体ドラム
２２  現像装置
７１  中間転写ベルト
７６  中間転写ベルト押圧機構
７６１  第１押圧ローラ
７６２  第２押圧ローラ
７６３  コイルスプリング
７６４  押圧ローラ移動機構
７６４ａ  フレーム
７６４ｂ  回動軸
【図１】
2008298835.tif 000003
【図２】
2008298835.tif 000004
【図３】
2008298835.tif 000005
【図４】
2008298835.tif 000006